(57)【要約】【課題】この考案は食料品店等から卵入りの卵パックを持ち帰る際、卵の破損頻度を減少させかつ、再利用を目的とした折りたたみ可能な保護ケースに関するものである。【解決手段】食料品店等で販売されている卵は合成樹脂製のパックに包まれているのが一般的である。耐衝撃性の観点からこのパックにできるだけ密着させ、耐衝撃性に優れた弾性素材(本実施例ではシリコーンゴム)で成形する。この保護ケースにパックごと包むことにより不意の衝撃から破損に至る頻度を減少させる。また不使用時の持ち運びの際、くるくると折りたたむことにより利用者のバッグに収納するための負担を減少させる。弾性素材で保護容器全体（底部、蓋部、及びヒンジ部）を成形し一体化することにより、折りたたみ時から通常時への変形がすばやく済み手間がかからない。またその逆も同様である。【選択図】図７
2014065502.tif 000002
【特許請求の範囲】
【請求項１】
市販の卵パックの下半部分を収容する底部と卵パックの上半部分を覆う蓋部がヒンジを介して一体化された容器が弾性素材で成形された卵パックの保護ケース。
【請求項２】
卵パック封入時、蓋部の端に突起を設け、底部の端の穴に押し込むことにより留め具の役割を果たす請求項１記載の保護ケース。（突起と穴はそれぞれが対になっていれば位置が入れ替わっていても問題ないとする。）
【請求項３】
折りたたみ時にくるくると巻き、蓋部の留め部に設けられた突起を蓋部の穴に押し込むことで留め具の役割を果たし、コンパクトに保持できる請求項１記載の保護ケース。（突起と穴はそれぞれが対になっていれば位置が入れ替わっていても問題ないとする。）
【請求項４】
保護ケースの蓋部および底部の凹部を階段状に成形することにより、より折り畳みやすくなり、折り畳んだ際に余計な折り目がつかなくなることで長く再利用することが出来る請求項１記載の保護ケース。
【発明の詳細な説明】
【技術分野】
【０００１】
この考案は市販されている卵入りのパックを持ち運ぶ際、卵の破損頻度を減少させる為の携帯性を重視しつつ耐衝撃性を考慮し、かつ何度も再利用することを目的とした保護ケースに関するものである。
【背景技術】
【０００２】
食料品店等で販売されている卵は図１や図３の形のような合成樹脂製の卵パックに封入されていることが一般的である。これは卵を複数収容するための凹部分が１０個入りの卵ケースの場合、縦２列横５列の卵を覆う上半部分と保持する下半部分に別れており屈曲可能なヒンジ部を介して一体化したものである。この上半部分と下半部分で挟み込むように収容することにより、卵ひとつひとつをずれ動かすことなく収容できる。卵のサイズS,M、L、LLなどの大きさにより多少卵パックの外形寸法に違いがある。この卵パックに使用される合成樹脂は塩化ビニル樹脂(PVC樹脂)、ポリエチレンテレフタレート樹脂(PET樹脂)などがある。（特許文献１参照）
【０００３】
従来の保護ケースでは図４〜６のようなものが存在する。
【０００４】
図４のような保護ケースではカバー本体が厚紙あるいは合成樹脂シートで成形した物に片方の開口部から卵パックを挿入し、卵パックを中央に位置させ切り込みを入れた部分を折り返し、ずれ落ちを防止したものがある。
【０００５】
図５の保護ケースは硬質の合成樹脂で成形した長方形の底部材とヒンジ部を介して底部材の各辺に連立された４枚の壁部材の中に卵パックを収容し、蓋部材で蓋をする物である。取り外し可能なアジャスタ部を使用することによってがたつきをなくすことが出来、不使用時はヒンジ部を介して折りたたみ携帯することができる。使用時には組み立てが必要となる。（特許文献３参照）
【０００６】
また図６のような保護ケースでは剛性を有する長方形状の板材４枚を連立させ、その内面に衝撃吸収部材を沿わせ卵パックの外周に接触するように形成されている。不使用時には一対の折り目(ｔ)より扁平状に折りたたむことができる。（特許文献４参照）
【先行技術文献】
【特許文献】
【０００７】
【特許文献１】実用新案登録第3123121号
【特許文献２】実用新案登録第3054578号（第６頁、図３，５）
【特許文献３】特開2009-35324公報
【特許文献４】実用新案登録第3140524号
【発明の概要】
【発明が解決しようとする課題】
【０００８】
スーパーマーケットや食料品店等で販売されている合成樹脂製の卵パックで卵を持ち帰る際、衝撃に弱く卵が破損する場合がしばしば発生する。特に自転車のかごに入れ持ち運ぶ際など、非常に扱いに気を使いつつも破損することがしばしばあった。また、従来の保護ケースでは折りたたみ不可能な物が多く、折りたたみ可能だとしても表面積が広く、携帯性に優れていないことによりあまり一般に普及していない点があげられる。また衛生上、洗浄に適していない素材、あるいは形で形成されており、再利用に適さないと考えられる。
【課題を解決するための手段】
【０００９】
まず市販の一般的な合成樹脂製の卵パックの大きさを包括しつつ、耐衝撃性の観点から包み込んだ卵パックがずれ動かないようにできるだけ密着させる大きさである必要がある。底部には市販の卵パックの下半部分を保持する縦２列、横５列計１０個のカップ状の凹部を設ける。次に卵パックの上半部分を覆う蓋部を設ける。これは図１のような卵パックを基準としており、図３のような卵パックも包括する。
【００１０】
また衝撃から卵を守るために弾性素材で形成されたもので、容器全体（底部、蓋部、及びヒンジ部）を弾性素材で一体化すれば、折りたたみも容易になり、くるくると図８のように収容できる。こうした形で収容することで買い物バックに常時入れていても場所を取らずに利用者に負担が掛からない。さらに図１０のように保護ケースの蓋部および底部の凹部を階段状に形成することにより、折り畳みやすくなり、折り畳んだ際に余計な折り目がつかずに長く再利用出来る。
【００１１】
また卵パックを包み込んだ際、底部と蓋部が離れずに卵パックを保持しておくために図７のような突起を蓋部の端に設ける。またそれと対になるように底部の端へ穴を設け、突起を穴に押し込むことで底部と蓋部が展開されずに保持できる。この突起と穴をいくつか（本実施例では４つ）等間隔に設けることで多少の衝撃では底部と蓋部が展開状に開くことがない。また蓋部の端に突起を設けた留め部を形成し、くるくると折り畳んだ際に蓋部に設けられた穴を空けた箇所に押し込むことでコンパクトに保持することができる。またこれらの突起をすべて弾性素材で成形することで新たに留め具を取り付けることなく、洗浄の際に錆びなどの劣化の心配がなく、清潔に保つことが出来る。
【００１２】
また底部の形状を１０個のカップ状の凹部を設けずに蓋部と同様の形に成形してもよい。この形状であればより折りたたみやすくなり、さらに実施も容易になる。同様に蓋部にも底部と同じようなカップ状の凹部を成形し、図３のような卵パックに底部、蓋部とも密着させる形状の保護ケースも考案できる。ただし、この形状では図１のような卵パックは包括されない。
【発明の効果】
【００１３】
市販されている卵パックにできるだけ密着させることにより衝撃を緩和させる効果を高め、柔軟性がありかつ耐衝撃性がある弾性素材で一体化することにより、携帯性を重視しながら破損を防ぐことが出来る。
【００１４】
またこれは一般的な１０個パックを対象としているが、１個から１０個までのパックをひとつから複数個収容できることは特筆するまでもない。
【００１５】
図８のように折りたたむことにより、携帯性に優れ、また弾性素材の特徴を生かし形状記憶が可能なことから折りたたみ時からの通常時への変形がすぐに出来、また留め具から一つの素材で一体化されていることから、部品をなくすこともなく再利用の観点からも利用者に負担を負わせない構造になっている。
【００１６】
以上により水洗いや、素材に則した洗浄剤等で洗浄しても劣化せず、何度も再利用が可能となっている。
【図面の簡単な説明】
【００１７】
【図１】市販されている卵パックの一例を示す斜視図である。
【図２】図１の卵パックの展開状態の斜視図である。
【図３】市販されている図１とは違う形の卵パックの斜視図である。
【図４】従来の厚紙製、あるいは合成樹脂シート製の卵パック保護ケースの一例を示す斜視図である。
【図５】従来の卵パック保護ケースの一例を示す平面図、側面図、及び正面図である。
【図６】従来の卵パック保護ケースの図5とは違うタイプの一例を示す断面図である。
【図７】この考案の卵パック保護ケースの一実施形態を示す展開時の斜視図である。
【図８】図7に示したこの考案の卵パック保護ケースの折りたたみ時の斜視図である。
【図９】図7に示したこの考案の卵パック保護ケースの封入時の平面図である。
【図１０】図９に示したこの考案の卵パック保護ケースの切断線における断面図である。
【発明を実施するための形態】
【００１８】
以下、この考案の卵パック保護カバーを実施するための最良の形態を、図面に基づいて詳細に説明する。
【実施例】
【００１９】
この考案は耐衝撃性の観点から市販されている図１や図３のような卵パックに出来るだけ密着させるために図７のような形を有する耐衝撃性に優れた弾性素材(本実施例ではシリコーンゴム)で製作する。これは市販の一般的な卵パックを包み込むためにそれを包括するような大きさである必要がある。
【００２０】
底部１にカップ状の凹部６を縦２列横５列の計１０個設け、４つの凹部６に囲まれた凸部７を４個設ける。そして蓋部３の端ｈに図７の４ｄ（拡大図）のような形を有する突起をほぼ等間隔に４つ設ける。底部１の端ｇには蓋部３の突起と同様の間隔で穴を４つ設ける。これは蓋部３と底部１で卵パックを包み込む際に突起４ａ〜４ｄが穴５ａ〜５ｄに重ねあわされる。このとき図１０のように突起が穴より少し大きめに成形することにより、突起を穴に押し込んだ際外れにくくなることにより留め具を別途設けることなく卵パックを包み込むことが出来、多少の衝撃では底部１と蓋部３が離れることなく保持することが出来る。また底部１と蓋部３はヒンジを介して一体化する。なおヒンジ部２も底部１、蓋部３と同様に弾性素材で成形されている。
【００２１】
そして蓋部３の端についている突起ｍを設けた箇所（留め部９）を成形する。これはくるくると折り畳んだ際に蓋部３の穴８に挿入することで留め金の役割を果たす。同様に留め部９と逆の端に突起ｎを設けた留め部１０を成形する。この突起ｎの向きは突起ｍと逆の方向へ向くように成形する。
【００２２】
また携帯性を高めるため剛性素材を使用せず、弾性素材のみで一体化することにより図８のように折りたたみ時の体積並びに表面積を小さくさせる。
【００２３】
さらに図１０のように階段状に成形することにより折りたたみやすくなり、通常時から折りたたみ時への変形を容易にする、また逆も同様である。これは底部１の凹部６と蓋部３に設けられている。
【００２４】
以上のように構成されたこの考案の保護ケースは例えば以下のように使用する。
【００２５】
市販されている図１や図３のような卵入りの卵パックの底面の凹凸部を重ね合わせるように保護ケースの底部１に置き、蓋部３を覆い被せるように包み込む。そして突起４a〜４dを穴５a〜５dにそれぞれ挿入し、密着させるように押し込む。すると多少の衝撃では外れにくくなる。
【００２６】
これを会計を済ませた後のレジ袋、あるいは持参のバックに入れ、通常の卵入りの卵パックを持ち運ぶように持ち運ぶ。自転車のカゴにいれるなり、車の後部座席、トランク、あるいは手に下げ持ち運ぶもよい。このとき不意の衝撃から破損頻度を減少させることを目的としているため継続的な加重や圧力をかけてしまうと破損に至る場合がある。なのでできればこの保護ケースを他の買い物の重量の重い品物の上に乗せるほうがよい。これは通常の卵の買い物袋への収容方法と同じ方法が望ましい。ここでいう通常とは重い品物を下に、軽い品物は保護ケースの上に乗せるような方法である。
【００２７】
持ち帰った後、卵パックを包んでいる保護ケースを取り出し、突起４a〜４dをひとつずつ穴５a〜５ｄから取り外す。このとき多少の力を要するが、卵に力を加えないように、なるべく台の上に保護ケースを置いて作業するほうがよい。
【００２８】
卵保護ケースから取り出した後は、底部１を上面に蓋部３が下面になるようにひっくり返し、保護ケース全体を押し潰しながら端eから留め部９のある端ｆへくるくると巻き、留め部９の突起ｍを蓋部３の穴８へ押し込めば図８のような形へ変形でき、折りたたみ時の表面積および体積を小さくできる。
【００２９】
さらに突起を設けた留め部１０を成形することで折りたたみ方は二通りになり、利用者は折りたたみやすい方法を選ぶことができる。この方法では展開状の保護ケースを蓋部３と底部１の凹部６が裏返しに密着するように押し潰し、底部１を上面に蓋部３を下面になるように置き、端ｆから留め部１０のある端eへくるくると巻く。そして留め部１０の突起ｎを蓋部３の穴８に押し込めば図８と同様の渦巻状になりコンパクトに保持することができる。
【００３０】
これを再利用時にこのままの形で買い物へ行く際にバッグへ収容すれば、利用者に負担をかけることなく持ち運ぶことが可能である。また汚れが目立ってきたと感じた場合は、水洗いあるいは素材に則した洗浄剤で洗浄し、自然乾燥させることで衛生面も清潔を保てる。
【符号の説明】
【００３１】
１            底部
２            ヒンジ部
３            蓋部
４(a〜ｄ)    突起
５(a〜ｄ)    穴
６            凹部
７            凸部
８            穴
９、１０     留め部
e〜ｈ        端
ｉ、ｋ        切断線
ｍ、ｎ        突起
【図１】
2014065502.tif 000003
【図２】
2014065502.tif 000004
【図３】
2014065502.tif 000005
【図４】
2014065502.tif 000006
【図５】
2014065502.tif 000007
【図６】
2014065502.tif 000008
【図７】
2014065502.tif 000009
【図８】
2014065502.tif 000010
【図９】
2014065502.tif 000011
【図１０】
2014065502.tif 000012